(57)【要約】【課題】情報技術を使いこなせない者が簡単な操作のみで情報技術を利用できる技術を提供する。【解決手段】情報処理装置に、第１処理を特定する第１識別子が記録された第１記録媒体から読み取られた当該第１識別子が入力される。さらにその後、第２処理を特定する第２識別子が記録された第２記録媒体から読み取られた当該第２識別子が入力される。ここで、第１識別子と第２識別子とは互い同一又は相違する。情報処理装置は、第１識別子と第２識別子とが同一であるか否かを判定する。ここで、第１識別子と第２識別子とが同一であると判定した場合には、第１制御処理が実行され、第１識別子と第２識別子とが異なると判定された場合には、第１制御処理と異なる第２制御処理が実行される。【選択図】図７
2010212983.tif 000002
【特許請求の範囲】
【請求項１】
入力部と記憶部と処理部とを有し、
前記入力部は、第１処理を特定する第１識別子が記録された第１記録媒体から読み取られた前記第１識別子の入力を受け付け、前記記憶部は、前記入力部に入力された当該第１識別子を格納し、
前記入力部は、さらに、第２処理を特定する第２識別子が記録された第２記録媒体から読み取られた前記第２識別子の入力を受け付け、前記記憶部は、前記入力部に入力された当該第２識別子を格納し、
前記第１記録媒体と前記第２記録媒体とは、互いに同一であるか又は互いに異なり、
前記第１識別子と前記第２識別子とは、互いに同一であるか又は互いに異なり、
前記処理部は、前記記憶部に格納された前記第１識別子と前記第２識別子とが同一であるか否かを判定し、前記第１識別子と前記第２識別子とが同一であると判定した場合に第１制御処理を行い、前記第１識別子と前記第２識別子とが異なると判定した場合に前記第１制御処理と異なる第２制御処理を行い、
前記第１制御処理と前記第２制御処理は、いずれも、前記第１処理及び前記第２処理の少なくとも一方に対する制御処理である、情報処理装置。
【請求項２】
請求項１の情報処理装置であって、
前記第１制御処理は、前記第１処理を取り消す処理を含み、
前記第２制御処理は、前記第１処理に加え、さらに、前記第２処理を追加して実行する処理を含む、情報処理装置。
【請求項３】
請求項１又は２の情報処理装置であって、
前記処理部は、前記第１識別子が前記入力部に入力された時点以降の或る基準時から或る待ち時間が経過する前に、前記入力部に前記第２識別子が入力されたか否かを判定し、当該待ち時間が経過する前に前記第２識別子が入力されたと判定した場合に第３制御処理を行い、当該待ち時間が経過する前に前記第２識別子が入力されなかったと判定した場合に前記第３制御処理と異なる第４制御処理を行い、
前記第３制御処理と前記第４制御処理は、いずれも、前記第１処理及び前記第２処理の少なくとも一方に対する制御処理である、情報処理装置。
【請求項４】
請求項３の情報処理装置であって、
前記第３制御処理は、前前記記憶部に格納された前記第１識別子と前記第２識別子とが同一であるか否かを判定し、前記第１識別子と前記第２識別子とが同一であると判定した場合に前記第１制御処理を行い、前記第１識別子と前記第２識別子とが異なると判定した場合に前記第２制御処理を行う処理を含む、情報処理装置。
【請求項５】
請求項４の情報処理装置であって、
前記第１記録媒体には、前記第１処理の内容が表示され、
前記第２記録媒体には、前記第２処理の内容が表示され、
前記第１処理は、前記第１識別子で特定される第１メッセージを電子メールの送信メッセージとする処理、又は、取得した第１データを電子メールの添付データとする処理を含み、
前記第２処理は、前記第２識別子で特定される第２メッセージを電子メールの送信メッセージとする処理、又は、取得した第２データを電子メールの添付データとする処理を含み、
前記第１制御処理は、
前記第１メッセージを電子メールの送信メッセージとする処理を取り消す制御処理、又は、前記第１データを電子メールの添付データとする処理を取り消す制御処理を含み、
前記第２制御処理は、
前記第１メッセージを電子メールの送信メッセージとする処理、又は、前記第１データを電子メールの添付データとする処理に加え、さらに、前記第２メッセージを電子メールの送信メッセージとして追加する処理、又は、前記第２データを電子メールの添付データとして追加する処理、を実行する制御処理を含む、情報処理装置。
【請求項６】
処理を特定する識別子が記録された記録媒体と、
読み取り部と出力部とを含む読み取り装置と、
入力部と記憶部と処理部とを含む情報処理装置と、を有し、
前記読み取り部は、第１処理を特定する第１識別子が記録された第１記録媒体から当該第１識別子を読み取り、前記出力部は、前記読み取り部で読み取られた前記第１識別子を出力し、前記入力部は、出力された前記第１識別子の入力を受け付け、前記記憶部は、前記入力部に入力された当該第１識別子を格納し、
前記読み取り部は、さらに、第２処理を特定する第２識別子が記録された第２記録媒体から当該第２識別子を読み取り、前記出力部は、前記読み取り部で読み取られた前記第２識別子を出力し、前記入力部は、出力された前記第２識別子の入力を受け付け、前記記憶部は、前記入力部に入力された当該第２識別子を格納し、
前記第１記録媒体と前記第２記録媒体とは、互いに同一であるか又は互いに異なり、
前記第１識別子と前記第２識別子とは、互いに同一であるか又は互いに異なり、
前記処理部は、前記記憶部に格納された前記第１識別子と前記第２識別子とが同一であるか否かを判定し、前記第１識別子と前記第２識別子とが同一であると判定した場合に第１制御処理を行い、前記第１識別子と前記第２識別子とが異なると判定した場合に前記第１制御処理と異なる第２制御処理を行い、
前記第１制御処理と前記第２制御処理は、いずれも、前記第１処理及び前記第２処理の少なくとも一方に対する制御処理である、情報処理システム。
【請求項７】
請求項６の情報処理システムであって、
前記処理部は、前記第１識別子が前記入力部に入力された時点以降の或る基準時から或る待ち時間が経過する前に、前記入力部に前記第２識別子が入力されたか否かを判定し、当該待ち時間が経過する前に前記第２識別子が入力されたと判定した場合に第３制御処理を行い、当該待ち時間が経過する前に前記第２識別子が入力されなかったと判定した場合に前記第３制御処理と異なる第４制御処理を行い、
前記第３制御処理と前記第４制御処理は、いずれも、前記第１処理及び前記第２処理の少なくとも一方に対する制御処理である、情報処理システム。
【請求項８】
入力部と記憶部と処理部とを有する情報処理装置が実行する情報処理方法であって、
前記入力部において、第１処理を特定する第１識別子が記録された第１記録媒体から読み取られた当該第１識別子の入力を受け付けるステップと、
前記第１識別子を前記記憶部に格納するステップと、
前記入力部において、さらに、第２処理を特定する第２識別子が記録された第２記録媒体から読み取られた当該第２識別子の入力を受け付けるステップと、
前記第２識別子を前記記憶部に格納するステップと、
前記処理部が、前記記憶部に格納された前記第１識別子と前記第２識別子とが同一であるか否かを判定するステップと、
前記処理部が、前記第１識別子と前記第２識別子とが同一であると判定した場合に第１制御処理を行うステップと、
前記処理部が、前記第１識別子と前記第２識別子とが異なると判定した場合に前記第１制御処理と異なる第２制御処理を行うステップと、を有し、
前記第１記録媒体と前記第２記録媒体とは、互いに同一であるか又は互いに異なり、
前記第１識別子と前記第２識別子とは、互いに同一であるか又は互いに異なり、
前記第１制御処理と前記第２制御処理は、いずれも、前記第１処理及び前記第２処理の少なくとも一方に対する制御処理である、情報処理方法。
【請求項９】
請求項８の情報処理方法の各ステップをコンピュータに実行させるためのプログラム。
【請求項１０】
請求項９のプログラムを格納したコンピュータ読み取り可能な記録媒体。
【発明の詳細な説明】
【技術分野】
【０００１】
本発明は、情報処理技術に関し、特に、情報技術を使いこなせる者と使いこなせない者との間に生じる格差を軽減する技術に関する。
【背景技術】
【０００２】
近年、パーソナルコンピュータや携帯電話などの情報技術がますます発展を遂げる一方、それを使いこなせる者と使いこなせない者との間での格差（デジタルデバイド）が大きくなっている。例えば、通信サービスの多様化・高速化が急激にすすむ一方で、携帯電話での電子メール送信すら行うことが困難な人々も高齢者を中心に数多く存在する。このような情報技術を使いこなせる者と使いこなせない者との格差を軽減することができれば、世の中の利便性が向上する。
【０００３】
例えば、独居老人とその安否を気遣う娘とがいるとする。その独居老人から娘に頻繁に電話連絡を行うのであれば、その娘はその独居老人の安否を確認できる。しかしながら、娘が手を離せないときに電話をして互いにいやな思いをすることを恐れ、そのような独居老人が娘になかなか電話連絡できない場合が多い。一方、このような独居老人が娘に電子メールを送信することができるのであれば、娘は手が空いた時間にその電子メールを確認し、返信することができる。このようなケースでは、送信可能な電子メールの機能が制限されていたとしても、情報技術を使いこなせない者が簡単に操作でき、なおかつ、自分の意思を伝えることができれば、十分有用である。
【０００４】
電子メールの自動送信を行う従来技術としては、センサ等の検地に対応して注意喚起等の電子メールを送るシステムは多数存在する（例えば、特許文献１〜３参照）。
【先行技術文献】
【特許文献】
【０００５】
【特許文献１】特開２００７−２００２２４号公報
【特許文献２】特開２００７−２２６３８７号公報
【特許文献３】特開２００７−３１７１０８号公報
【発明の開示】
【発明が解決しようとする課題】
【０００６】
しかしながら、上述したような情報技術を使いこなせない者が、簡単に操作でき、自分の意思を伝えられる電子メールのシステムは存在しない。
このようなデジタルデバイドの問題は、電子メールなどの情報伝達技術に限らず、利用者の意思に従って制御されるパーソナルコンピュータその他の情報処理機器にも存在する問題である。
本発明はこのような点に鑑みてなされたものであり、情報技術を使いこなせない者が簡単な操作のみで情報技術を利用できる技術を提供することを目的とする。
【課題を解決するための手段】
【０００７】
本発明では、情報処理装置の入力部に、第１処理を特定する第１識別子が記録された第１記録媒体から読み取られた当該第１識別子が入力され、当該第１識別子が記憶部に格納される。さらに、この入力部に、第２処理を特定する第２識別子が記録された第２記録媒体から読み取られた当該第２識別子が入力され、当該第２識別子が記憶部に格納される。次に、情報処理装置の処理部が、記憶部に格納された第１識別子と第２識別子とが同一であるか否かを判定する。ここで、第１識別子と第２識別子とが同一であると判定した場合には、第１制御処理が実行され、第１識別子と第２識別子とが異なると判定された場合には、第１制御処理と異なる第２制御処理が実行される。なお、第１制御処理と第２制御処理は、いずれも、第１処理及び第２処理の少なくとも一方に対する制御処理である。
【０００８】
ここで、本発明の利用者が行うことは、同一又は異なる記録媒体にそれぞれ格納された第１識別子及び第２識別子を装置に読み込ませるといった簡単な操作のみである。これに対し、情報処理装置は、第１識別子と第２識別子との組み合わせに応じて処理を分岐させ、多様な処理を実行する。すなわち、情報処理装置の処理部は、入力された第１識別子と第２識別子とが同一か否かに応じて異なる制御処理を行う。また、この制御処理の対象となる処理は、第１識別子と第２識別子とによってそれぞれ特定される処理である。つまり、本発明の利用者は、それほど多くの記録媒体を使い分けることなく、それらに格納させた識別子を装置に読み込ませるといった簡単な操作のみによって、情報処理装置に多様な処理を実行させることができる。
【０００９】
なお、本発明は、３つ以上の識別子の組み合わせに応じて処理を分岐させる構成を排除するものではない。すなわち、情報処理装置の処理部が実行する第１識別子と第２識別子とが同一であるか否かの判定は、３つ以上の識別子間の同一性を判定する処理の一部であってもよい。
【００１０】
また、本発明において好ましくは、情報処理装置の処理部は、第１識別子が入力部に入力された時点以降の或る基準時から或る待ち時間が経過する前に、入力部に第２識別子が入力されたか否かを判定する。そして、処理部は、当該待ち時間が経過する前に第２識別子が入力されたと判定した場合に第３制御処理を行い、当該待ち時間が経過する前に第２識別子が入力されなかったと判定した場合に第３制御処理と異なる第４制御処理を行う。なお、第３制御処理と第４制御処理は、いずれも、第１処理及び第２処理の少なくとも一方に対する制御処理である。
【００１１】
この場合の利用者は、使用する記録媒体の数を増加させることなく、それらの識別子を装置に読み込ませるタイミングを相違させるだけで、さらに多様な処理を情報処理装置に実行させることができる。
【００１２】
また、例えば、本発明を電子メールの作成処理に適用する場合、第１記録媒体には、第１処理の内容が表示され、第２記録媒体には、第２処理の内容が表示される。また、第１処理は、第１識別子で特定される第１メッセージを電子メールの送信メッセージとする処理、又は、取得した第１データを電子メールの添付データとする処理を含み、第２処理は、第２識別子で特定される第２メッセージを電子メールの送信メッセージとする処理、又は、取得した第２データを電子メールの添付データとする処理を含む。そして、第１制御処理は、第１メッセージを電子メールの送信メッセージとする処理を取り消す制御処理、又は、第１データを電子メールの添付データとする処理を取り消す制御処理を含み、第２制御処理は、第１メッセージを電子メールの送信メッセージとする処理、又は、第１データを電子メールの添付データとする処理に加え、さらに、第２メッセージを電子メールの送信メッセージとして追加する処理、又は、第２データを電子メールの添付データとして追加する処理、を実行する制御処理を含む。
【発明の効果】
【００１３】
以上のように本発明では、情報技術を使いこなせない者が簡単な操作のみで情報技術を利用することができる。
【図面の簡単な説明】
【００１４】
【図１】図１は、本実施形態の情報処理システムの全体構成を説明するためのブロック図である。
【図２】図２は、図１の情報処理装置の構成を説明するためのブロック図である。
【図３】図３（Ａ）は、プログラムテーブルのデータ構成を例示するための図であり、図３（Ｂ）は、メッセージテーブルのデータ構成を例示するための図であり、図３（Ｃ）は、送信先アドレステーブルのデータ構成を例示するための図である。
【図４】図４は、記録媒体としてＩＣカードを用いた例を説明するための図である。
【図５】図５は、確認画面の一例を示した図である。
【図６】図６は、確認画面の一例を示した図である。
【図７】図７は、本実施形態の情報処理装置が実行する処理を説明するためのフローチャートである。
【図８】図８は、図７のステップＳ１２０の処理を説明するためのフローチャートである。
【図９】図９は、図７のステップＳ１２１の処理を説明するためのフローチャートである。
【図１０】図１０は、メール送信処理を例示するためのシーケンス図である。
【図１１】図１１は、メール送信処理を例示するためのシーケンス図である。
【図１２】図１２は、メール送信処理を例示するためのシーケンス図である。
【図１３】図１３は、メール送信処理の取り消し処理を例示するためのシーケンス図である。
【図１４】図１４は、送信メッセージの取り消し処理を例示するためのシーケンス図である。
【図１５】図１５は、メール受信処理を例示するためのシーケンス図である。
【図１６】図１６は、ステップＳ１２０の変形例であるステップＳ２２０の処理を例示するためのフローチャートである。
【図１７】図１７は、ステップＳ１２１の変形例であるステップＳ２２１の処理を例示するためのフローチャートである。
【図１８】図１８は、複数の識別子にそれぞれ対応するバーコードが１枚のシートにまとめて印刷されたバーコード表の記録媒体の例である。
【発明を実施するための形態】
【００１５】
以下、図面を参照して本発明の実施形態を説明する。
本形態は、本発明を電子メールの送受信処理に適用した例である。
＜構成＞
図１は、本実施形態の情報処理システム１の全体構成を説明するためのブロック図である。また、図２は、図１の情報処理装置１１０の構成を説明するためのブロック図である。また、図３（Ａ）は、プログラムテーブルのデータ構成を例示するための図であり、図３（Ｂ）は、メッセージテーブルのデータ構成を例示するための図であり、図３（Ｃ）は、送信先アドレステーブルのデータ構成を例示するための図である。また、図４は、記録媒体１３０としてＩＣカードを用いた例を説明するための図である。
【００１６】
[全体構成]
図１に例示するように、本形態の情報処理システム１は、情報処理装置１１０と、読み取り装置１２０と、記録媒体１３０と、カメラ１４０と、表示装置１５０とを有し、インターネットなどの外部ネットワーク１６０を通じて、メールサーバ装置１８０やコンテンツサーバ装置１７０と通信可能に接続されている。
【００１７】
[情報処理装置１１０]
図２に例示するように、本形態の情報処理装置１１０は、処理部１１１と、外部通信部１１２と、内部通信部１１３（「入力部」及び「出力部」に相当）と、データ記憶部１１４と、処理テーブル記憶部１１５と、送信先テーブル記憶部１１６とを有する。また、処理部１１１は、判定部１１１ａと、実行部１１１ｂと、制御処理決定部１１１ｃと、タイマー１１１ｄとを有する。
【００１８】
処理テーブル記憶部１１５には、識別子と当該識別子によって特定される処理とを対応付けたテーブルが格納されている。本形態では、処理テーブル記憶部１１５に、識別子と当該識別子によって特定されるプログラム（スクリプト等）とを対応付けたテーブルであるプログラムテーブルと（図３（Ａ））、プログラムが電子メール送信を行うものの場合にその電子メールの送信メッセージとなるメッセージと当該識別子とを対応付けたメッセージテーブルと（図３（Ｂ））が格納されるものとする。
【００１９】
図３（Ａ）に例示するプログラムテーブルには、「電子メール送信」「電子メール送信先変更」「受信メール表示削除」「受信メール履歴表示」「カメラ画像添付」などの各処理を実行するためのプログラムと、それぞれに対応する「00000001」,....,「00000501」などの識別子とが対応付けられている。また、図３（Ｂ）に例示するメッセージテーブルには、「今日は元気です」「調子はまあまあです」「体調が悪いです」「電話してください」などの報告用や要求用のメッセージや「ありがとう」「遠慮します」「ごめんなさい」「わかりました」などの応答用のメッセージと、それぞれに対応する「00000001」,....,「00000007」などの識別子とが対応付けられている。なお、「電子メール送信」という処理は、電子メールを生成するためのプログラムとメッセージとの組み合わせで特定される。例えば、識別子「00000001」によって特定される処理は、「『元気です』というメッセージを送信メッセージに含む電子メールを作成する処理」である。一方、識別子「00000002」によって特定される処理は、「『調子はまあまあです』というメッセージを送信メッセージに含む電子メールを作成する処理」である。そのため、或る識別子に対応する「電子メール送信」という処理は、その識別子を用い、図３（Ａ）に例示するプログラムテーブルと、図３（Ｂ）に例示するメッセージテーブルとの両方を検索することによって特定される。
【００２０】
また、送信先テーブル記憶部１１６には、電子メールの送信先アドレスとして選択可能なアドレスと、アドレスをそれぞれ特定する識別子と、送信先アドレスに対応する表示と、選択されている送信先アドレスを示す情報とが対応付けられた送信先アドレステーブルが格納されている。図３の例の送信先アドレステーブルでは、「aaa@bbb.ccc.jp」,...,「mmm.nn@ooo.pp.jp」などの電子メールの送信先アドレスとして選択可能なアドレスと、「00000201」,...,「00000205」などのアドレスをそれぞれ特定する識別子と、「息子（一郎）」,...,「孫（太陽）」などの送信先アドレスに対応する表示と、「○」で図示された選択されている送信先アドレスを示すフラグ情報とが対応付けられている。この例では「ddd@eee.fff.com」が送信先アドレスとして選択されている。なお「電子メール送信」と同様、或る識別子に対応する「電子メール送信先変更」という処理は、その識別子を用い、図３（Ａ）に例示するプログラムテーブルと、図３（Ｃ）に例示する送信先アドレステーブルとの両方を検索することによって特定できる。
【００２１】
なお、情報処理装置１１０は、ＣＰＵ（central processing unit）、ＲＡＭ（random-access memory）、ＲＯＭ（read-only memory）等を有する公知のコンピュータに所定のプログラムが読み込まれて構成される装置である。すなわち、処理部１１１は、例えば、所定のプログラムがＣＰＵに読み込まれて構成される処理部である。また、処理部１１１の少なくとも一部が電子回路によって構成されてもよい。また、データ記憶部１１４と、処理テーブル記憶部１１５と、送信先テーブル記憶部１１６は、例えば、補助記憶装置、ＲＡＭ、レジスタ或いはキャッシュメモリ、又はそれらの少なくとも一部を結合した記憶領域である。また、外部通信部１１２は、例えば、外部ネットワーク１６０と通信可能なモデムなどの通信装置である。また、内部通信部１１３は、例えば、読み取り装置１２０、カメラ１４０及び表示装置１５０などの内部ネットワーク（家庭内ネットワーク）と通信可能なＬＡＮカードや入出力ポートなどである。また、情報処理装置１１０の具体例は、ホームゲートウェイ（HGW: Home Gate-Way）や、所定のプログラムがインストールされたパーソナルコンピュータなどである。
【００２２】
[読み取り装置１２０]
図１に例示するように、本形態の読み取り装置１２０は、読み取り部１２１と通信部１２２（「出力部」に相当）を有する。本形態の読み取り装置１２０の例は、ＩＣカードリーダ、ＲＦタグリーダ、磁気カードリーダ、バーコードリーダ、ＱＲコードリーダなどであり、使用される記録媒体１３０に応じて選択される。本形態では、読み取り装置１２０としてＩＣカードリーダを用いる例を説明する。
【００２３】
[記録媒体１３０]
本形態の記録媒体１３０の例は、ＩＣカード、ＲＦタグ、磁気カード、バーコードカード、ＱＲコードカードなどである。記録媒体１３０には、処理を特定するための識別子が記録され、さらに、その外部には当該識別子によって特定される処理の内容が表示されている。なお、記録媒体１３０がＩＣカードやＲＦタグや磁気カードの場合、識別子は電磁気的なデータとして記録媒体１３０に記録されており、記録媒体１３０がバーコードカードやＱＲコードカードの場合、識別子は記録媒体１３０の表面に印刷等されたバーコードやＱＲコードとして記録媒体１３０に記録されている。また、識別子は、前述の処理テーブル格納部１１５に格納されるテーブルの識別子に対応する。本形態では、記録媒体１３０としてＩＣカードを用いる例を説明する。
【００２４】
図４に示す例では、複数種類の記録媒体１３０が用いられる。各記録媒体１３０には、それぞれ１つの識別子が記録され、その外部には当該識別子によって特定される処理の内容が表示されている。
【００２５】
例えば、「メール送信  元気です」と表示された記録媒体１３０には、「『元気です』というメッセージを送信メッセージに含む電子メールを作成する処理」を特定する識別子が格納されている。なお、メッセージの例としては、「今日は元気です」の他に「調子はまあまあです」「体調が悪いです」「電話してください」などの報告用や要求用のメッセージや、「ありがとう」「遠慮します」「ごめんなさい」「わかりました」などの応答用のメッセージが想定できる。
【００２６】
また、「メール送信先変更  息子（一郎）」と表示された記録媒体１３０には、「電子メールの送信先を『息子（一郎）』へ変更する処理」を特定する識別子が格納されている。また、「受信メール表示削除」と表示された記録媒体１３０には、「受信メールを削除する処理」を特定する識別子が格納され、「受信メール履歴表示」と表示された記録媒体１３０には、「受信メールの履歴を表示する処理」を特定する識別子が格納されている。また、「カメラ画像添付」と表示された記録媒体１３０には、「カメラ１４０画像を撮影させ、その画像データを電子メールの添付データとする処理」を特定する識別子が格納されている。なお、これらは一例であり、その他の処理の内容を表示した記録媒体１３０にその処理を特定する識別子が格納されていてもよい。
【００２７】
[カメラ１４０]
カメラ１４０の例は、情報処理装置１１０からの要求に応じて画像を撮影し、その画像データを情報処理装置１１０に送信するネットワークカメラなどである。
[表示装置１５０]
表示装置１５０の例は、ブラウザ機能を持つデジタルフォトフレームや、パーソナルコンピュータから送信された画像情報を表示するディスプレイなどである。本形態では、表示装置１５０としてデジタルフォトフレームを用いる例を説明する。
【００２８】
この場合、表示装置１５０は、周期的に情報処理装置１１０のデータ記憶部１１４のある領域（URL: Uniform Resource Locator）にアクセスし、そこから取得したデータを表示する。この機能は、例えば、表示装置１５０を立ち上げた際に情報処理装置１１０から表示装置１５０に送信されるHTTPファイルに含まれるプログラム（スクリプト）によって実現される。これにより、表示装置１５０がアクセスするデータ記憶部１１４の領域に所望のデータを格納しておけば、その領域にデータが存在する期間に限り、表示装置１５０はそのデータに対応する表示を表示する。また、表示装置１５０は、定期的に表示更新を行う。これにより、表示装置１５０は、アクセスするデータ記憶部１１４の領域に格納されるデータに応じ、その表示内容を変化させる。
【００２９】
＜処理の概要＞
まず、本形態の処理の概要を説明する。
本形態の情報処理システム１の利用者が電子メールの送信を希望する場合、その利用者は、前述の「メール送信  元気です」等の「メール送信」を含む表示がなされた記録媒体１３０（図４）から、自らの意思にあった表示がなされているものを選択する。次に、利用者は、選択した記録媒体１３０を読み取り装置１２０に読み取らせる。これにより、その記録媒体１３０に格納されていた識別子が読み取り装置１２０に読み取られ、情報処理装置１１０に送られる。情報処理装置１１０は、送られた識別子に対応するメッセージを送信メッセージとした電子メールを作成する。その後、所定の待ち時間が経過するまでに、同一の記録媒体１３０の識別子が読み取られた場合、先の電子メールの作成処理等が取り消される。一方、所定の待ち時間が経過するまでに、「メール送信」を含む表示がなされた別の記録媒体１３０の識別子が読み取られた場合には、その新たに読み取られた識別子に対応するメッセージが電子メールの送信メッセージに追加される。また、所定の待ち時間が経過するまでに、「カメラ画像添付」と表示された記録媒体１３０が読み取られた場合には、カメラ１４０で写真撮影が行われ、その画像データが電子メールの添付データとされる。そして、所定の待ち時間が経過した場合、情報処理装置１１０は、生成した電子メールを送信する。なお、送信先アドレスは、「送信先変更」を含む表示がなされた記録媒体１３０の識別子を読み取り装置１２０に読み取らせることで設定又は変更することが可能である。しかし、操作の簡易性を担保するため、常に同じ送信先アドレスを用いることが望ましい。
【００３０】
一方、情報処理装置１１０は、一定の周期で、外部ネットワーク１６０を通じてメールサーバ装置１８０にアクセスし、受信メールの有無を確認する。メールサーバ装置１８０に受信メールがある場合、情報処理装置１１０は、その受信メールを外部ネットワーク１６０経由で受信する。受信メールはデータ記憶部１１４に格納される。さらに、受信メールの内容は表示装置１５０が表示可能な形式の情報（例えば、HTTPファイル）に変換される。この受信メールの内容は表示装置１５０が表示可能な形式の情報（以下「受信メール表示情報」という）は、一定期間、データ記憶部１１４の或る領域（URL）に格納される。表示装置１５０は、定期的に当該データ記憶部１１４の領域にアクセスし、この領域に受信メール表示情報が存在している間、当該受信メール表示情報を取得し、それを表示する。この表示は、受信メール表示情報がデータ記憶部１１４に存在する限り継続し、これがデータ記憶部１１４の領域から削除されることで終了する。本形態の情報処理装置１１０は、受信メール表示情報をデータ記憶部１１４の或る領域に格納し、一定期間経過後、この領域から受信メール表示情報を削除する。これにより、表示装置１５０での受信メールの内容の表示が終了する。また、利用者が受信メールの内容の表示を急いで終了させたい場合には、利用者は「受信メール  表示削除」と表示された記録媒体１３０の識別子を読み取り装置１２０に読み取らせる。これによっても、受信メール表示情報がデータ記憶部１１４の領域から削除され、表示装置１５０での受信メールの内容の表示が終了する。
【００３１】
また、情報処理装置１１０のデータ記憶部１４には、これまで受信された受信メールが保存される。ただし、本形態では、データ記憶部１４の記憶容量や利便性を勘案し、データ記憶部１４には一定数以上の受信メールを保存しないこととし、それ以上の受信メールが新たに受信された場合には、古い順にデータ記憶部１４から受信メールが削除される。利用者が受信された受信メールの履歴を閲覧したいと思った場合、利用者は「受信メール  履歴表示」と表示された記録媒体を読み取り装置１２０に読み取らせる。これにより、情報処理装置１１０は、データ記憶部１４に保存している受信メールの履歴情報を生成し、表示装置１５０に表示される。
【００３２】
なお、本形態では、コンテンツサーバ装置１７０が、ネットワーク１６０を通じ、情報処理装置１１０にコンテンツを配信している。上述した受信メールの内容の表示や履歴情報の表示等を行う必要がないタイミングでは、情報処理装置１１０に配信されたコンテンツが、表示装置１５０がアクセスするデータ記憶部１１４の領域に格納される。これにより、上述した受信メールの内容の表示や履歴情報の表示等の有無に応じ、表示装置１５０で表示される内容が切り替わる。
【００３３】
＜情報処理装置１１０が実行する処理＞
次に、上述のような処理を実現するために情報処理装置１１０が実行する処理を例示する。なお、以下に説明する処理は一例に過ぎず、これは本発明を限定するものではない。
図７は、本実施形態の情報処理装置１１０が実行する処理を説明するためのフローチャートである。また、図８は、図７のステップＳ１２０の処理を説明するためのフローチャートであり、図９は、図７のステップＳ１２１の処理を説明するためのフローチャートである。
【００３４】
読み取り装置１２０の読み取り部１２１で記録媒体１３０から読み取られた識別子は、通信部１２２から出力される。情報処理装置１１０の内部通信部１１３は、読み取り装置１２０から出力された識別子の入力を受け付け、当該識別子に従い、以下のような処理を実行する。
【００３５】
まず、情報処理装置１１０の処理部１１０ａの判定部１１１ａは、処理部１１ａの実行部１１１ｂが後述のように電子メールの作成を開始し、現在、電子メールの作成中であるか否かを判定する（ステップＳ１０１）。この判定は、例えば、実行部１１１ｂが電子メールの作成を開始したときに、電子メールの作成中であることを示すフラグ情報をデータ記憶部１１４に格納し、実行部１１１ｂが電子メールの作成を終了したときに当該フラグ情報をデータ記憶部１１４から削除することにしておけば、このフラグ情報の有無を判定するだけで実行可能である。また、例えば、実行部１１１ｂが電子メールの作成を開始したときに、データ記憶部１１４に格納しておいたフラグ情報を「１」とし、実行部１１１ｂが電子メールの作成を終了したときに当該フラグ情報を「０」とすることにしておけば、このフラグ情報の値を判定するだけで、電子メールが作成中であるか否かを判定可能である。
【００３６】
ステップＳ１０１で電子メールが作成中でないと判定された場合、判定部１１１ａは、識別子１０２が内部通信部１１３に入力されたか否かを判定する（ステップＳ１０２）。
【００３７】
ここで、識別子１０２が入力されていないと判定した場合、判定部１１１ａは、ステップＳ１０２の判定を繰り返す。一方、識別子１０２が入力されたと判定された場合、判定部１１１ａは、入力された識別子によって特定される処理が「電子メール送信」であるか否かを判定する（ステップＳ１０４）。この処理は、判定部１１１ａが、入力された識別子を用いて処理テーブル記憶部１１５に格納されたプログラムテーブル（図３（Ａ））を検索し、入力された識別子に対応付けられているプログラムが「電子メール送信」のものであるか否かを判定することで実現できる。
【００３８】
ここで、入力された識別子によって特定される処理が「電子メール送信」であると判定された場合、処理部１１１の実行部１１１ｂは、入力された識別子を識別子ID1(「第１識別子」に相当)としてデータ記憶部１１４に格納する（ステップＳ１０６）。さらに、実行部１１１ｂは、プログラムテーブルにおいて識別子ID1に対応付けられている「メール送信」のプログラム（スクリプト等）を実行して電子メールの作成を開始し、前述した電子メールの作成中であることを示すフラグ情報等をデータ記憶部１１４に格納する。電子メールの作成処理では、まず、実行部１１１ｂが、処理テーブル１１５に格納されたメッセージテーブルを検索し、識別子ID1に対応付けられた「今日は元気です」などのメッセージ（「第１メッセージ」に相当）を抽出する。そして、実行部１１１ｂは、この識別子ID１で特定されるメッセージを電子メールの送信メッセージ（本文のメッセージ）及び件名として設定する処理（「第１処理」に相当）を実行する（ステップＳ１０７）。なお、実行部１１１ｂは、送信先テーブル記憶部１１６に格納された送信先アドレステーブルを参照し、フラグ情報（「○」で図示）が対応付けられた送信先アドレスを抽出し、これを作成中の電子メールの送信先アドレスとして設定する。また、送信先アドレスが固定である場合には、実行部１１１ｂは、その固定された送信先アドレスを作成中の電子メールの送信先アドレスとする。また、作成中の電子メールは、データ記憶部１１４に格納される。
【００３９】
次に、実行部１１１ｂは、タイマー１１１ｄを起動し、この時点（「第１識別子が入力部に入力された時点以降の或る基準時」に相当）からの経過時間の計測又はそれに変換可能なカウント値のカウントを開始する（ステップＳ１０８）。
【００４０】
その後、実行部１１１ｂは、「電子メール送信」処理に応じた確認画面を作成し、それを表示装置１５０が表示可能な形式に変換し、形式変換された確認画面を生成する（ステップＳ１０９）。図５は、この場合の形式変換された確認画面１５１−１の一例を示した図である。この例の確認画面１５１−１は、「送信メール確認」との文言に加え、あて先表示部１５１ａ、件名表示部１５１ｂ、送信メッセージ表示部１５１ｃ、添付データ表示部１５１ｄ、操作表示部１５１ｅ、及び待ち時間表示部１５１ｆを有する。あて先表示部１５１ａには、送信先アドレステーブルで電子メールの送信先アドレスと対応付けられている「娘（ゆり）」などの表示が表示される。また、件名表示部１５１ｂには、ステップＳ１０７で電子メールの件名として設定された「今日は元気です」などのメッセージが表示され、送信メッセージ表示部１５１ｃには、ステップＳ１０７で電子メールの送信メッセージ（本文）として設定された「今日は元気です」などのメッセージが表示される。また、添付データ表示部１５１ｄには、電子メールに添付する画像データ等の添付データが表示されるが、この時点では添付データは存在しない。また、操作表示部１５１ｅには、「キャンセルする場合はもう一度同じカード、本文を追加する場合は追加する文章のカード、写真を添付するときは『写真カード』をかざしてください」とのメッセージが表示される。さらに、待ち時間表示部１５１ｆには、所定の待ち時間に達するまでの時間又はそれに変換可能なカウント値が表示される。これらの値は、タイマー１１１ｄから出力される経過時間やカウント値を用いて算出される。図５の例では、「あと２４で送信します」と表示されている。形式変換された確認画面は、データ記憶部１１４の領域に格納される（ステップＳ１１０）。表示装置１５０は、このデータ記憶部１１４の領域に定期的にアクセスし、そこに形式変換された確認画面が格納されている間、当該形式変換された確認画面を取得し、それを表示する。また、処理がステップＳ１０１に戻される。
【００４１】
一方、ステップＳ１０４の判定で、入力された識別子によって特定される処理が「電子メール送信」でないと判定された場合、処理部１１１の実行部１１１ｂは、入力された識別子によって特定されるその他の処理を実行する（ステップＳ１０５）。
【００４２】
［ステップＳ１０５の具体例］
以下に、ステップＳ１０５で実行されるその他の処理の具体例を説明する。
《識別子によって特定される処理が「電子メールの送信先変更」である場合》
この場合、実行部１１１ｂは、その識別子を用いて送信先テーブル記憶部１１６に格納された送信先アドレステーブル（図３（Ｃ））を検索する。そして、実行部１１１ｂは、その識別子に対応付けられている送信先アドレスを特定し、特定された送信先アドレス（利用者に選択された送信先アドレス）に対し「○」で図示されたフラグ情報を対応付ける。なお、このフラグ情報の例は「１」というビット情報である。この場合には、例えば、特定された送信先アドレスに対して「１」が対応付けられ、それ以外の送信先アドレスに対して「０」が対応付けられる。
【００４３】
《識別子によって特定される処理が「受信メール表示削除」である場合》
この場合、実行部１１１ｂは、表示装置１５０での受信メールの内容の表示を終了させる。例えば、実行部１１１ｂは、データ記憶部１１４の領域から、受信メール表示情報を削除する。これにより、表示装置１５０での受信メールの内容の表示が終了する。
【００４４】
《識別子によって特定される処理が「受信メール履歴表示」である場合》
この場合、実行部１１１ｂは、データ記憶部１１４に格納されたすべての受信メールを読み出し、それらの一覧情報（例えば、スライドショーなど）を生成する。さらに、実行部１１１ｂは、当該一覧情報を表示装置１５０が表示できる形式に変換し、形式変換された一覧情報を生成する。形式変換された一覧情報は、データ記憶部１１４の領域に一定期間格納される。これにより、表示装置１５０は、受信メールの一覧情報を一定期間表示する。
【００４５】
《識別子によって特定される処理が「カメラ画像添付」である場合》
この識別子に対応する処理は、カメラ１４０に画像を撮影させ、それによって得られた画像データを電子メールの添付ファイルとする処理である。しかし、ステップＳ１０５の段階では電子メールの作成は行われていない。そのため、ステップＳ１０５の段階では、実行部１１１ｂは、この識別子に対して処理を実行しない。
【００４６】
《その他》
その他、読み取られた識別子に応じ、コンテンツサーバ装置１７０から配信されるコンテンツを切り替えたり、表示装置１５０に表示させるコンテンツを切り替えたりすることも可能である（［ステップＳ１０５の具体例］の説明終わり）。
【００４７】
その後、実行部１１１ｂは、実行した処理に応じた確認画面を作成し、それを表示装置１５０が表示可能な形式に変換し、形式変換された確認画面を生成する（ステップＳ１０９）。形式変換された確認画面は、データ記憶部１１４の領域に一定期間格納される（ステップＳ１１０）。表示装置１５０は、このデータ記憶部１１４の領域に定期的にアクセスし、そこに形式変換された確認画面が格納されている間、当該形式変換された確認画面を取得し、それを表示する。また、処理がステップＳ１０１に戻される。
【００４８】
また、ステップＳ１０１の判定で電子メールが作成中であると判定された場合、判定部１１１ａは、タイマー１１１ｄから出力される経過時間やカウント値と、所定の閾値とを比較し、前述の基準時から或る待ち時間が経過したか否かを判定する（ステップＳ１１１）。
ここで、前述の基準時から或る待ち時間が経過したと判定された場合（「待ち時間が経過する前に第２識別子が入力されなかったと判定した場合」に相当）、制御処理決定部１１１ｃは、ステップＳ１１２からＳ１１６に示す処理を実行させる制御処理（第４制御処理）を行う。
【００４９】
この制御処理に従い、実行部１１１ｂは、まず、電子メールの作成処理を終了し、前述した電子メールの作成中であることを示すフラグ情報を破棄するか、電子メールの作成中でないことを示すフラグ情報をデータ記憶部１１４に格納する（ステップＳ１１２）。
次に、実行部１１１ｂは、データ記憶部１１４から作成された電子メールを読み出し、外部通信部１１２を通じて送信する（ステップＳ１１３）。
【００５０】
その後、実行部１１１ｂは、電子メールの送信を終了したことを示す確認画面を作成し、それを表示装置１５０が表示可能な形式に変換し、形式変換された確認画面を生成する（ステップＳ１１４）。形式変換された確認画面は、データ記憶部１１４の領域に格納され（ステップＳ１１５）、一定時間経過後に削除される（ステップＳ１１６）。表示装置１５０は、このデータ記憶部１１４の領域に定期的にアクセスし、そこに形式変換された確認画面が格納されている間、当該形式変換された確認画面を取得し、それを表示する。また、処理がステップＳ１０１に戻される。
【００５１】
一方、ステップＳ１１１において、前述の基準時から或る待ち時間が経過していないと判定された場合、判定部１１１ａは、識別子１０２が内部通信部１１３に入力されたか否かを判定する（ステップＳ１１７）。ここで、識別子１０２が入力されていないと判定された場合、処理をステップＳ１１１に戻す。
【００５２】
一方、ステップＳ１１７で、識別子１０２が入力されたと判定された場合、制御処理決定部１１１ｃは、ステップＳ１１８からＳ１２１に示す処理を実行させる制御処理（第３制御処理）を行う。
この制御処理に従い、まず、処理部１１１の実行部１１１ｂが、入力された識別子を識別子ID2(「第２識別子」に相当)としてデータ記憶部１１４に格納する（ステップＳ１１８）。
次に、処理部１１１の判定部１１１ａが、データ記憶部１１４に格納された識別子ID1（第１識別子）と識別子ID2（第２識別子）とが同一であるか否かを判定する（ステップＳ１１９）。
【００５３】
ここで、判定部１１１ａが識別子ID1と識別子ID2とが同一であると判定した場合、制御処理決定部１１１ｃは、識別子ID1によって特定される処理（「第１処理」に相当）を取り消すための制御処理（「第１制御処理」に相当）を実行する（ステップＳ１２０）。一方、判定部１１１ａが識別子ID1と識別子ID2とが同一でないと判定した場合、制御処理決定部１１１ｃは、前述の識別子ID1によって特定される処理（「第１処理」に相当）に加え、識別子ID2によって特定される処理（「第２処理」に相当）を追加する処理を実行させる制御処理（「第２制御処理」に相当）を実行する（ステップＳ１２１）。
【００５４】
以下に、ステップＳ１２０及びＳ１２１の詳細を例示する。なお、以下で説明するステップＳ１２０及びＳ１２１の詳細は、それぞれ一例にすぎず、本発明を限定するものではない。また、以下では説明の便宜上、ステップＳ１２１の詳細を説明した後、テップＳ１２０の詳細を説明する。
【００５５】
[ステップＳ１２１（第２制御処理）]
ステップＳ１２１（第２制御処理）の処理は、識別子ID1によって特定されるメッセージ（「第１メッセージ」に相当）を電子メールの送信メッセージとする処理、又は、識別子ID1にしたがって撮影された画像データ（「第１データ」に相当）を電子メールの添付データとする処理に加え、さらに、識別子ID2によって特定されるメッセージ（「第２メッセージ」に相当）を電子メールの送信メッセージとして追加する処理、又は、識別子ID1にしたがって撮影される画像データ（第２データ）を電子メールの添付データとして追加する処理、を実行する制御処理を含む。
【００５６】
以下、図９を用いてステップＳ１２１の詳細を説明する。
まず、処理部１１１の判定部１１１ａが、識別子ID2によって特定される処理が「電子メール送信」であるか否かを判定する（ステップＳ１２１ａ）。この処理は、判定部１１１ａが、識別子ID2を用いて処理テーブル記憶部１１５に格納されたプログラムテーブル（図３（Ａ））を検索し、識別子ID2に対応付けられているプログラムが「電子メール送信」のものであるか否かを判定することで実現できる。
【００５７】
ここで、識別子ID2によって特定される処理が「電子メール送信」であると判定された場合、実行部１１１は、タイマー１１１ｄで計測やカウントされている経過時間やカウント値を初期値にリセット（基準点をリセット）し、ステップＳ１０８と同様な初期状態から経過時間やカウント値の計測やカウントを再開する（ステップＳ１２１ｂ）。
【００５８】
次に、実行部１１１ｂは、プログラムテーブルにおいて識別子ID2に対応付けられている「メール送信」のプログラム（スクリプト等）を実行し、処理テーブル１１５に格納されたメッセージテーブル（図３（Ｂ））を検索し、識別子ID2に対応付けられた「電話してください」などのメッセージ（「第２メッセージ」に相当）を抽出する。そして、実行部１１１ｂは、この識別子ID2で特定されるメッセージを電子メールの送信メッセージ（本文のメッセージ）として追加する（ステップＳ１２１ｃ）。
【００５９】
次に、実行部１１１ｂは、データ記憶部１１４に格納されている識別子ID2を新たな識別子ID1としてデータ記憶部１１４を更新する（ステップＳ１２１ｄ）。なお、この更新前の識別子ID1は、後に復元が可能なようにデータ記憶部１１４の履歴領域に格納される。
【００６０】
その後、実行部１１１ｂは、「電子メール送信」処理に応じた確認画面を作成し、それを表示装置１５０が表示可能な形式に変換し、形式変換された確認画面を生成する（ステップＳ１２１ｉ）。形式変換された確認画面は、データ記憶部１１４の領域に格納される（ステップＳ１２１ｊ）。表示装置１５０は、このデータ記憶部１１４の領域に定期的にアクセスし、そこに形式変換された確認画面が格納されている間、当該形式変換された確認画面を取得し、それを表示する。また、処理がステップＳ１０１に戻される。
【００６１】
一方、ステップＳ１２１ａの判定で、識別子ID2によって特定される処理が「電子メール送信」でないと判定された場合、次に、判定部１１１ａは、識別子ID2によって特定される処理が「カメラ画像添付」であるか否かを判定する（ステップＳ１２１ｅ）。
【００６２】
ここで、識別子ID2によって特定される処理が「カメラ画像添付」であると判定された場合、まず、実行部１１１ｂは、タイマー１１１ｄで計測やカウントされている経過時間やカウント値を初期値にリセット（基準点をリセット）し、ステップＳ１０８と同様な初期状態から経過時間やカウント値の計測やカウントを再開する（ステップＳ１２１ｇ）。次に、実行部１１１ｂは、プログラムテーブルにおいて識別子ID2に対応付けられている「カメラ画像添付」のプログラム（スクリプト等）を実行し、内部通信部１１３からカメラ１４０に画像撮影命令（HTTPリクエスト等）を送る。画像撮影命令を受けたカメラ１４０は画像を撮影し、その画像データを送信する。この画像データは内部通信部１１３に入力され、データ記憶部１１４に格納される。実行部１１１ｂは、データ記憶部１１４からこの画像データを読み出し、それを電子メールの添付データとして追加する（ステップＳ１２１ｈ）。
【００６３】
その後、実行部１１１ｂは、「電子メール送信」処理に応じた確認画面を作成し、それを表示装置１５０が表示可能な形式に変換し、形式変換された確認画面を生成する（ステップＳ１２１ｉ）。
【００６４】
図６は、電子メール作成処理が開始された後、１回目のステップＳ１２１の処理でステップＳ１２１ｂ〜Ｓ１２１ｄの処理が実行されて送信メッセージが追加され、２回目のステップＳ１２１の処理でステップＳ１２１ｅ〜Ｓ１２１ｈの処理が実行されて画像データが添付データとして電子メールに添付された場合の確認画面１５１−２の一例を示した図である。図６の例では、送信メッセージ表示部１５１ｃには、ステップＳ１２１ｃで電子メールの送信メッセージとして追加された「電話してください」のメッセージが追加されている。また、添付データ表示部１５１ｄには、ステップＳ１２１ｈで取得された画像データが表示される。
【００６５】
形式変換された確認画面は、データ記憶部１１４の領域に格納される（ステップＳ１１０）。表示装置１５０は、このデータ記憶部１１４の領域に定期的にアクセスし、そこに形式変換された確認画面が格納されている間、当該形式変換された確認画面を取得し、それを表示する。また、処理がステップＳ１０１に戻される。
【００６６】
一方、ステップＳ１２１ｅの判定で、識別子ID2によって特定される処理が「カメラ画像添付」でないと判定された場合、実行部１１１ｂは、入力された識別子によって特定されるその他の処理を実行する（ステップＳ１２１ｆ）。なお、ステップＳ１２１ｆの詳細は、前述したステップＳ１０５の詳細と同様である。
【００６７】
その後、実行部１１１ｂは、実行した処理に応じた確認画面を作成し、それを表示装置１５０が表示可能な形式に変換し、形式変換された確認画面を生成する（ステップＳ１２１ｉ）。形式変換された確認画面は、データ記憶部１１４の領域に一定期間格納される（ステップＳ１２１ｊ）。表示装置１５０は、このデータ記憶部１１４の領域に定期的にアクセスし、そこに形式変換された確認画面が格納されている間、当該形式変換された確認画面を取得し、それを表示する。また、処理がステップＳ１０１に戻される。
【００６８】
[ステップＳ１２０（第１制御処理）の詳細]
ステップＳ１２０（第１制御処理）の処理は、識別子ID1によって特定されるメッセージ（「第１メッセージ」に相当）を電子メールの送信メッセージとする処理を取り消す制御処理を含む。以下、図８を用いてステップＳ１２０の詳細を説明する。
【００６９】
《ステップＳ１２０の詳細例１》
ステップＳ１２０の詳細例１は、電子メール作成が開始されてからステップＳ１２１の処理が実行されることなくステップＳ１２０の処理が実行される場合、及び、電子メール作成が開始されてから１回以上のステップＳ１２１の処理が実行された後にステップＳ１２０の処理が実行される場合、の両方の場合に適用可能な処理である。
【００７０】
ステップＳ１２０の詳細例１では、処理部１１１の実行部１１１ｂが、作成中の電子メールを破棄し、データ記憶部１１４から削除して、電子メール作成処理を終了する。これに伴い、実行部１１１ｂは、前述した電子メールの作成中であることを示すフラグ情報を破棄するか、電子メールの作成中でないことを示すフラグ情報をデータ記憶部１１４に格納する（ステップＳ１２０ｄ）。
【００７１】
その後、実行部１１１ｂは、電子メール作成処理を終了したことを示す確認画面を作成し、それを表示装置１５０が表示可能な形式に変換し、形式変換された確認画面を生成する（ステップＳ１２０ｈ）。形式変換された確認画面は、データ記憶部１１４の領域に格納され（ステップＳ１２０ｉ）、一定時間経過後に削除される（ステップＳ１２０ｊ）。表示装置１５０は、表示装置１５０は、このデータ記憶部１１４の領域に定期的にアクセスし、そこに形式変換された確認画面が格納されている間、当該形式変換された確認画面を取得し、それを表示する。また、処理がステップＳ１０１に戻される。
【００７２】
《ステップＳ１２０の詳細例２》
ステップＳ１２０の詳細例２は、電子メール作成が開始されてから１回以上のステップＳ１２１の処理が実行された後にステップＳ１２０の処理が実行される場合に適用可能な処理である。
【００７３】
まず、実行部１１１ｂは、データ記憶部１１４に格納されている作成中の電子メールから、識別子ID2（この場合はID1=ID2）によって特定されるメッセージを削除し、その電子メールをデータ記憶部１１４に格納する（ステップＳ１２０ｂ）。次に、判定部１１１ａが、ステップＳ１２０ｂで識別子ID2によって特定されるメッセージが削除された電子メールに送信メッセージが残存するか否かを判定する（ステップＳ１２０ｃ）。
【００７４】
ここで、電子メールに送信メッセージが残存しない判定された場合には、《ステップＳ１２０の詳細例１》の処理が実行され、処理がステップＳ１０１に戻される。
一方、電子メールに送信メッセージが残存すると判定された場合には、実行部１２０ｆは、ステップＳ１２１ｄでの更新前の識別子ID1を復元する。なお、ステップＳ１２１ｄでの識別子ID1の更新が複数回実行されていた場合には、最新の更新前の識別子ID1に復元される（ステップＳ１２０ｆ）。復元された識別子ID1は、データ記憶部１１４に格納される。
【００７５】
次に、実行部１１１は、タイマー１１１ｄで計測やカウントされている経過時間やカウント値を初期値にリセット（基準点をリセット）し、ステップＳ１０８と同様な初期状態から経過時間やカウント値の計測やカウントを再開する（ステップＳ１２０ｇ）。
【００７６】
その後、実行部１１１ｂは、ステップＳ１２０ｂで識別子ID2によって特定されるメッセージが削除された電子メールに対応する確認画面を作成し、それを表示装置１５０が表示可能な形式に変換し、形式変換された確認画面を生成する（ステップＳ１２０ｋ）。形式変換された確認画面は、データ記憶部１１４の領域に格納される（ステップＳ１２０ｍ）。表示装置１５０は、表示装置１５０は、このデータ記憶部１１４の領域に定期的にアクセスし、そこに形式変換された確認画面が格納されている間、当該形式変換された確認画面を取得し、それを表示する。また、処理がステップＳ１０１に戻される。
【００７７】
＜処理の具体例＞
次に、これまで図７から図９を用いて説明した各ステップを引用しつつ、情報処理システム１が実行する各処理の具体例を説明する。
【００７８】
[メール送信処理]
図１０から図１２は、メール送信処理を例示するためのシーケンス図である。なお、以下の処理において、図７から図９を用いて説明したステップに対応するステップについては、図７から図９で用いたステップの番号を用いる。
【００７９】
まず、図１０に示すように、読み取り装置１２０の読み取り部１２１によって、「メール送信  今日は元気です」と表示された記録媒体１３０に記録された識別子が読み取られたとする（ステップＳ１１）。読み取られた識別子は通信部１２２から出力され（ステップＳ１２）、電子メール作成中ではない情報処理装置１１０の内部通信部１１３に入力される（ステップＳ１０２）。入力された識別子によって特定される処理は「電子メール送信」であるため、この識別子が識別子ID1としてデータ記憶部１１４に格納される（ステップＳ１０６）。次に、実行部１１１ｂが、識別子ID１で特定されるメッセージ「今日は元気です」を電子メールの送信メッセージ及び件名として設定する（ステップＳ１０７）。
【００８０】
次に、実行部１１１ｂは、タイマー起動を行い（ステップＳ１０８）、「今日は元気です」を送信メッセージとする電子メールに応じた確認画面（HTTPファイル等）を生成し（ステップＳ１０９）、これをデータ記憶部１１４の領域に格納する（ステップＳ１１０）。表示装置１５０は、このデータ記憶部１１４の領域に定期的にアクセスし、そこに形式変換された確認画面が格納されている間、当該形式変換された確認画面を取得し（ステップＳ１３）、それを表示する（ステップＳ１４）。
【００８１】
引き続いて、図１１に示すように、読み取り装置１２０の読み取り部１２１によって、「メール送信  電話してください」と表示された記録媒体１３０に記録された識別子が、読み取られたとする（ステップＳ１１）。読み取られた識別子は通信部１２２から出力され（ステップＳ１２）、電子メール作成中の情報処理装置１１０の内部通信部１１３に入力され（ステップＳ１１７）、識別子ID2としてデータ記憶部１１４に格納される（ステップＳ１１８）。
【００８２】
次に、判定部１１１ａが識別子ID1と識別子ID2とが同一であるか否かを判定するが（ステップＳ１１９）、これらは同一ではなく、なおかつ、識別子ID2によって特定される処理が「電子メール送信」であるため（図９のステップＳ１２１ａ参照）、実行部１１１ｂが、タイマー１１１ｄのリセットを行う（ステップＳ１２１ｂ）。次に、実行部１１１ｂは、識別子ID2で特定されるメッセージ「電話してください」を電子メールの送信メッセージとして追加し（ステップＳ１２１ｃ）、さらに、データ記憶部１１４に格納されている識別子ID2を新たな識別子ID1としてデータ記憶部１１４を更新する（ステップＳ１２１ｄ）。
【００８３】
次に、実行部１１１ｂは、「今日は元気です」「電話してください」を送信メッセージとした電子メールに応じた確認画面（HTTPファイル等）を生成し（ステップＳ１０９）、これをデータ記憶部１１４の領域に格納する（ステップＳ１１０）。表示装置１５０は、このデータ記憶部１１４の領域に定期的にアクセスし、そこに形式変換された確認画面が格納されている間、当該形式変換された確認画面を取得し（ステップＳ１３）、それを表示する（ステップＳ１４）。
【００８４】
引き続いて、図１２に示すように、読み取り装置１２０の読み取り部１２１によって、「カメラ画像添付」と表示された記録媒体１３０に記録された識別子が読み取られたとする（ステップＳ１１）。読み取られた識別子は通信部１２２から出力され（ステップＳ１２）、電子メール作成中の情報処理装置１１０の内部通信部１１３に入力され（ステップＳ１１７）、識別子ID2としてデータ記憶部１１４に格納される（ステップＳ１１８）。
【００８５】
次に、判定部１１１ａが識別子ID1と識別子ID2とが同一であるか否かを判定するが（ステップＳ１１９）、これらは同一ではなく、なおかつ、識別子ID2によって特定される処理が「電子メール送信」ではなく（図９のステップＳ１２１ａ参照）、「カメラ画像添付」であるため（図９のステップＳ１２１ｅ参照）、実行部１１１ｂが、タイマー１１１ｄのリセットを行う（ステップＳ１２１ｇ）。
【００８６】
次に、実行部１１１ｂは、「カメラ画像添付」のプログラム（スクリプト等）を実行し、内部通信部１１３からカメラ１４０に画像撮影命令を送る。画像撮影命令を受けたカメラ１４０は画像を撮影し、その画像データを送信する（ステップＳ１９）。この画像データは内部通信部１１３に入力され、実行部１１１ｂは、この画像データを電子メールの添付データとして追加する（ステップＳ１２１ｈ）。
【００８７】
次に、実行部１１１ｂは、「今日は元気です」「電話してください」を送信メッセージとし、画像データが添付された電子メールに応じたHTTPファイル等の確認画面を生成し（ステップＳ１０９）、これをデータ記憶部１１４の領域に格納する（ステップＳ１１０）。表示装置１５０は、このデータ記憶部１１４の領域に定期的にアクセスし、そこに形式変換された確認画面が格納されている間、当該形式変換された確認画面を取得し（ステップＳ１３）、それを表示する（ステップＳ１４）。
【００８８】
その後、新たな記録媒体１３０からの識別子の読み取りは行われず、所定の待ち時間が経過したとする。この場合、実行部１１１ｂは、「今日は元気です」「電話してください」を送信メッセージとし、上述の画像データが添付された電子メールを送信する（ステップＳ１１３）。
【００８９】
その後、実行部１１１ｂは、電子メールの送信を終了したことを示す確認画面（HTTPファイル等）を生成し（ステップＳ１１４）、データ記憶部１１４の領域に格納し（ステップＳ１１５）、一定時間経過後に削除する（ステップＳ１１７）。表示装置１５０は、このデータ記憶部１１４の領域に定期的にアクセスし、そこに形式変換された確認画面が格納されている間、当該形式変換された確認画面を取得し（ステップＳ１５）、それを表示する（ステップＳ１６）。
【００９０】
[メール送信処理の取り消し処理]
図１３は、メール送信処理の取り消し処理を例示するためのシーケンス図である。
図１３に示す処理は、図１０を用いて説明した処理に引き続いて実行される。
図１０の処理が終了した後、読み取り装置１２０の読み取り部１２１によって、図１３に示すように「メール送信  今日は元気です」と表示された記録媒体１３０に記録された識別子が読み取られたとする（ステップＳ１１）。図１３の記録媒体１３０は図１０の記録媒体１３０と同一であり、それらに格納された識別子も同一である。読み取られた識別子は通信部１２２から出力され（ステップＳ１２）、電子メール作成中の情報処理装置１１０の内部通信部１１３に入力され（ステップＳ１１７）、識別子ID2としてデータ記憶部１１４に格納される（ステップＳ１１８）。
【００９１】
次に、判定部１１１ａが識別子ID1と識別子ID2とが同一であるか否かを判定する（ステップＳ１１９）。この例ではこれらが同一であるため、実行部１１１ｂは、作成中の電子メールを破棄し、電子メール作成処理を終了する（ステップＳ１２ｄ）。
【００９２】
その後、実行部１１１ｂは、電子メール作成処理を終了したことを示す確認画面を作成し、それを表示装置１５０が表示可能な形式に変換し、形式変換された確認画面を生成する（ステップＳ１２０ｈ）。形式変換された確認画面は、データ記憶部１１４の領域に格納され（ステップＳ１２０ｉ）、一定時間経過後に削除される（ステップＳ１２０ｊ）。表示装置１５０は、このデータ記憶部１１４の領域に定期的にアクセスし、そこに形式変換された確認画面が格納されている間、当該形式変換された確認画面を取得し（ステップＳ１５）、それを表示する（ステップＳ１６）。また、処理がステップＳ１０１に戻される。
【００９３】
次に、実行部１１１ｂは、電子メール作成処理を終了したことを示す確認画面（HTTPファイル等）を生成し（ステップＳ１２０ｈ）、これをデータ記憶部１１４の領域に格納し（ステップＳ１２０ｉ）、一定時間後に削除する（ステップＳ１２０ｊ）。表示装置１５０は、このデータ記憶部１１４の領域に定期的にアクセスし、そこに形式変換された確認画面が格納されている間、当該形式変換された確認画面を取得し（ステップＳ１５）、それを表示する（ステップＳ１６）。
【００９４】
[送信メッセージの取り消し処理]
図１４は、送信メッセージの取り消し処理を例示するためのシーケンス図である。
図１４に示す処理は、図１０及び図１１の処理に引き続いて実行される。また、ステップＳ１２０の処理には、ステップＳ１２０の詳細例２が用いられるものとする。
【００９５】
図１１の処理が終了した後、図１４に示すように、読み取り装置１２０の読み取り部１２１によって、「メール送信  電話してください」と表示された記録媒体１３０に記録された識別子が読み取られたとする（ステップＳ１１）。なお、図１４の記録媒体１３０は図１２の記録媒体１３０と同一であり、それらに格納された識別子も同一である。読み取られた識別子は通信部１２２から出力され（ステップＳ１２）、電子メール作成中の情報処理装置１１０の内部通信部１１３に入力され（ステップＳ１１７）、識別子ID2としてデータ記憶部１１４に格納される（ステップＳ１１８）。
【００９６】
次に、判定部１１１ａが識別子ID1と識別子ID2とが同一であるか否かを判定する（ステップＳ１１９）。この例ではこれらが同一である。よって、実行部１１１ｂは、作成中の電子メールから、識別子ID2（この場合はID1=ID2）によって特定されるメッセージ「電話してください」を削除する（ステップＳ１２０ｂ）。
【００９７】
この時点の電子メールには、まだ「今日は元気です」という送信メッセージが残存しているため、実行部１２０ｆは、現在の識別子ID1をステップＳ１２１ｄでの更新前の識別子ID1に復元し（ステップＳ１２０ｆ）、タイマー１１１ｄをリセットし（ステップＳ１２０ｇ）する。その後、実行部１１１ｂは、電子メールから「電話してください」という送信メッセージが削除されたことを示す確認画面（HTTPファイル等）を生成し（ステップＳ１２０ｋ）、データ記憶部１１４の領域に格納する（ステップＳ１２０ｍ）。表示装置１５０は、このデータ記憶部１１４の領域に定期的にアクセスし、そこに形式変換された確認画面が格納されている間、当該形式変換された確認画面を取得し（ステップＳ１３）、それを表示する（ステップＳ１４）。
【００９８】
[メール受信処理]
図１５は、メール受信処理を例示するためのシーケンス図である。
情報処理装置１１０は、一定の周期で、外部ネットワーク１６０を通じてメールサーバ装置１８０にアクセスし、受信メールの有無を確認する。メールサーバ装置１８０に受信メールがある場合、情報処理装置１１０は、その受信メールを外部ネットワーク１６０経由で取得する（ステップＳ１５１）。受信メールはデータ記憶部１１４に格納される。
【００９９】
次に、実行部１１１ｂは、受信メールの内容をHTTPファイル等の受信メール表示情報に変換し、この受信メール表示情報を、一定期間、データ記憶部１１４の或る領域に格納する（ステップＳ１５３）。表示装置１５０は、定期的にこのデータ記憶部１１４の領域にアクセスし、そこに格納された受信メール表示情報を取得する（ステップＳ１５４）。そして、表示装置１５０は、このデータ記憶部１１４の領域に受信メール表示情報が格納されている期間、それによって特定される受信メールの内容を表示する（ステップＳ１５５）。
【０１００】
次に、図１５に示すように、読み取り装置１２０の読み取り部１２１によって、「受信メール  表示削除」と表示された記録媒体１３０に記録された識別子が読み取られたとする（ステップＳ１１）。読み取られた識別子は通信部１２２から出力され（ステップＳ１２）、電子メール作成中ではない情報処理装置１１０の内部通信部１１３に入力される（ステップＳ１０２）。入力された識別子によって特定される処理は「電子メール送信」ではなく「受信メール  表示削除」であり、実行部１１１ｂは、データ記憶部１１４の領域から、受信メール表示情報を削除する（ステップＳ１０５）。代わりに、実行部１１１ｂは、コンテンツサーバ装置１７０から送信されたコンテンツをデータ記憶部１１４の領域に格納する（ステップＳ１５６）。これにより、表示装置１５０の表示内容が、受信メールからコンテンツへと切り替わる。
【０１０１】
次に、読み取り装置１２０の読み取り部１２１によって、「メール履歴表示」と表示された記録媒体１３０に記録された識別子が読み取られたとする（ステップＳ１１）。読み取られた識別子は通信部１２２から出力され（ステップＳ１２）、電子メール作成中ではない情報処理装置１１０の内部通信部１１３に入力される（ステップＳ１０２）。
【０１０２】
入力された識別子によって特定される処理は「電子メール送信」ではなく「メール履歴表示」である。実行部１１１ｂは、データ記憶部１１４に格納されたすべての受信メールを読み出し、それらのスライドショーを生成し、それを表示装置１５０が表示できる形式に変換し、データ記憶部１１４の領域に一定期間格納する（ステップＳ１０５）。これにより、表示装置１５０は、当該スライドショーのデータがデータ記憶部１１４の領域に格納されている期間、このスライドショーを表示する（ステップＳ１５８）。また、データ記憶部１１４の領域から当該スライドショーのデータが削除された後、実行部１１１ｂは、コンテンツサーバ装置１７０から送信されたコンテンツをデータ記憶部１１４の領域に格納する（ステップＳ１５６）。これにより、表示装置１５０の表示内容が、受信メールのスライドショーからコンテンツへと切り替わる。
【０１０３】
＜第１実施形態の変形例＞
なお、本発明は上述の実施の形態に限定されるものではない。例えば、上記の実施形態のステップＳ１２０では、電子メールの送信を特定する同一の識別子が２回連続して情報処理装置１１０に入力された場合、電子メールの作成をキャンセルするか、メッセージをキャンセルする手順を示した。しかし、画像データを取得して電子メールに添付する処理を特定する識別子が２回連続して情報処理装置１１０に入力された場合、１回目に入力された識別子に従って電子メールに添付された画像データを、電子メールから削除することにしてもよい。
【０１０４】
図１６は、このようなステップＳ１２０の変形例であるステップＳ２２０の処理を例示するためのフローチャートである。また、図１７は、その前提として必要となるステップＳ１２１の変形例であるステップＳ２２１の処理を例示するためのフローチャートである。以下では、ステップＳ２２１の詳細を説明した後、テップＳ２２０の詳細を説明する。
【０１０５】
[ステップＳ２２１の詳細]
ステップＳ２２１の処理はステップＳ１２１の代わりに実行される。
図９と図１７とを比較すればわかるように、図９に示したステップＳ１２１では、識別子ID2によって特定される処理が電子メールの作成である場合にのみ、ステップＳ１２１ｄで識別子ID2を新たな識別子ID1としていた。これに対し、図１７に示したステップＳ１２１では、識別子ID2によって特定される処理が電子メールの作成である場合及び画像データを取得して添付する処理である場合に、ステップＳ１２１ｄで識別子ID2を新たな識別子ID1する。
【０１０６】
[ステップＳ２２０の詳細]
ステップＳ２２０の処理はステップＳ１２０の代わりに実行される。
まず、判定部１１１ａが、処理テーブル記憶部１１５に格納されたプログラムテーブルを用い、データ記憶部１１４から読み出した識別子ID1によって特定される処理が電子メールの作成であるか否かを判定する（ステップＳ２２０ａ）。
ここで、識別子ID1によって特定される処理が電子メールの作成であると判定された場合には、図９を用いて説明した《ステップＳ１２０の詳細例１》又は  《ステップＳ１２０の詳細例２》を実行する。
【０１０７】
一方、識別子ID1によって特定される処理が電子メールの作成でないと判定された場合、識別子ID1によって特定される処理は、必ず画像データを取得して添付する処理になる（図１７のステップＳ１２１ｄ及びステップＳ１１９参照）。この場合、実行部１１１ｂは、識別子ID1によって特定される処理によって電子メールに添付された画像データを電子メールから削除する（ステップＳ２２０ｅ）。その後、上記の実施形態で説明したステップＳ１２０ｆからＳ１２０ｍと同様な処理が実行される。
【０１０８】
また、上記の実施形態では、電子メールに添付する添付データとして画像データを例示した。しかし、ビデオカメラやマイクロホンなどを用いて動画データや音声データを取得し、これによって取得したデータを電子メールに添付する処理を特定する識別子を定め、それを格納した記録媒体を利用する形態でもよい。また、データ記憶部１１４に予め格納されている画像データ等を電子メールに添付する処理を特定する識別子を定め、それを格納した記録媒体を利用する形態でもよい。
【０１０９】
また、電子メールの送信アドレスを固定とする場合には、送信先テーブル記憶部１１６や送信先を変更する処理を特定する識別子を設けなくてもかまわない。
【０１１０】
また、上述した識別子が特定する各処理の内容（プログラムやメッセージ）は一例であり、必要に応じて適宜変更可能であることはいうまでもない。例えば、作成中の電子メールの破棄は、前回と同じ記録媒体１３０が読み取られた場合だけではなく、「メール送信キャンセル」と表示され、電子メールの破棄処理を特定するための識別子が格納された記録媒体１３０が読み取られた場合にも実行されてもよい。また、生成した電子メールの送信の実行は、所定の待ち時間が経過した場合以外に、「直ちにメール送信」と表示され、直ちに電子メールを送信する処理を特定するための識別子が格納された記録媒体１３０が読み取られた場合にも実行されてもよい。
【０１１１】
また、識別子をバーコードやＱＲコードによって表示する場合には、複数の識別子を１枚のシートにまとめて配置してもよい。
【０１１２】
図１８は、複数の識別子にそれぞれ対応するバーコードが１枚のシートにまとめて印刷されたバーコード表の記録媒体の例である。１枚のシートであれば、カードの場合よりも記録媒体を紛失してしまうリスクを低減できる。また、情報処理装置で管理されている識別子と処理との対応関係を変更した場合であっても、バーコード表の記録媒体に表示された処理内容とバーコードとの対応関係を変更して印刷し直すだけで対応できる。
【０１１３】
また、上記では、本発明を電子メールの送受信処理に適用した例を説明した。しかし、本発明の思想は、利用者の意思に従って処理が複数に分岐する情報処理装置及びそれを含むシステム一般に適用可能である。例えば、上述のように２つの識別子の組み合わせに応じて処理を分岐させる構成だけではなく、３つ以上の識別子の組み合わせに応じて処理を分岐させる構成であってもよい。
【０１１４】
また、上述の各種の処理は、記載に従って時系列に実行されるのみならず、処理を実行する装置の処理能力あるいは必要に応じて並列的にあるいは個別に実行されてもよい。その他、本発明の趣旨を逸脱しない範囲で適宜変更が可能であることはいうまでもない。
また、上述の構成をコンピュータによって実現する場合、各装置が有すべき機能の処理内容はプログラムによって記述される。そして、このプログラムをコンピュータで実行することにより、上記処理機能がコンピュータ上で実現される。
【０１１５】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【０１１６】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【符号の説明】
【０１１７】
１  情報処理システム
１１０  情報処理装置
【図１】
2010212983.tif 000003
【図２】
2010212983.tif 000004
【図３】
2010212983.tif 000005
【図４】
2010212983.tif 000006
【図５】
2010212983.tif 000007
【図６】
2010212983.tif 000008
【図７】
2010212983.tif 000009
【図８】
2010212983.tif 000010
【図９】
2010212983.tif 000011
【図１０】
2010212983.tif 000012
【図１１】
2010212983.tif 000013
【図１２】
2010212983.tif 000014
【図１３】
2010212983.tif 000015
【図１４】
2010212983.tif 000016
【図１５】
2010212983.tif 000017
【図１６】
2010212983.tif 000018
【図１７】
2010212983.tif 000019
【図１８】
2010212983.tif 000020